(57)【要約】【課題】画面に表示されている各階層のメニュー項目を簡易な操作で選択することが可能な「メニュー表示装置及びメニュー表示方法」を提供すること。【解決手段】メニュー表示装置は、操作手段と、階層構造のメニュー項目を画面に表示する表示手段と、画面２１に表示されているすべての階層（２７〜２９）の各メニュー項目が操作手段による同一の操作で選択可能状態となる新たなメニューを構成して表示手段の画面２１に表示し、メニュー項目が選択可能状態であることを示すマーク３０を操作手段の操作量に応じてメニュー項目間で移動させる制御手段とを有する。制御手段は、１つの階層のメニュー項目が選択可能状態となる通常モードのメニューが表示されている状態で新たなメニューである簡易選択モードのメニューにする旨の指示を受けたとき、簡易選択モードのメニュー表示に切り替えて画面２１に表示する。【選択図】図２
2010055441.tif 000002
【特許請求の範囲】
【請求項１】
操作手段と、
階層構造のメニュー項目を画面に表示する表示手段と、
前記画面に表示されているすべての階層の各メニュー項目が前記操作手段による同一の操作で選択可能状態となる新たなメニューを構成して前記表示手段の画面に表示し、前記メニュー項目が選択可能状態であることを示すマークを前記操作手段の操作量に応じて前記メニュー項目間で移動させる制御手段とを有することを特徴とするメニュー表示装置。
【請求項２】
前記制御手段は、１つの階層のメニュー項目が選択可能状態となる通常モードのメニューが表示されている状態で、前記新たなメニューである簡易選択モードのメニューにする旨の指示を受けたとき、前記通常モードのメニュー表示を前記簡易選択モードのメニュー表示に切り替えて前記画面に表示し、前記簡易選択モードのメニューが表示されている状態でいずれかのメニュー項目が選択されたとき、前記簡易選択モードを解除し、当該メニュー項目に応じた表示画面に切り替えることを特徴とする請求項１に記載のメニュー表示装置。
【請求項３】
前記簡易選択モードのメニューは、当該簡易選択モードのメニューの元の通常モードのメニューのうち、選択されているメニュー項目がある階層を除いた階層のメニュー項目で構成されることを特徴とする請求項２に記載のメニュー表示装置。
【請求項４】
階層構造のメニューを画面に表示するメニュー表示方法であって、
画面に表示されている各階層のメニュー項目を抽出するステップと、
抽出されたすべての階層の各メニュー項目が操作手段による同一の操作で選択可能状態となる新たなメニューを構成するステップと、
前記新たなメニューのメニュー項目を当該新たなメニューの元のメニューと同一の表示配列で表示するステップと、
操作手段の操作量に応じて前記メニュー項目が選択可能状態であることを示すマークを前記メニュー項目間で移動させるステップとを有することを特徴とするメニュー表示方法。
【請求項５】
前記新たなメニューは、当該新たなメニューの元のメニューのうち選択されているメニュー項目がある階層を除いた階層のメニュー項目で構成されることを特徴とする請求項４に記載のメニュー表示方法。
【発明の詳細な説明】
【技術分野】
【０００１】
本発明は、メニュー表示装置及びメニュー表示方法に関し、特に、階層構造のメニューを表示するメニュー表示装置及びメニュー表示方法に関する。
【背景技術】
【０００２】
近年、車載用電子機器として、ナビゲーション機能、ラジオ放送やテレビ放送の受信機能、音楽や映像などのコンテンツ再生機能等、複数の機能を統合した装置が利用されている。また、記憶媒体の大容量化に伴い、音楽データなどの情報を大量に保存しておくことが可能になっている。そのため、これらの機能やデータの中からユーザが容易に機能やデータを選択できるように、一般にメニュー画面を表示している。
【０００３】
通常、このようなメニュー画面において、メニュー項目数が多く、すべてのメニュー項目を一度に同じメニュー表示画面に表示することが困難な場合には、メニュー項目のグループ化や階層構造化をして、メニュー表示画面に表示している。
【０００４】
このような階層表示処理を行う装置として、フォルダを表示するか非表示とするかのフラグを管理し、フラグがオンのフォルダのみを階層的に一覧表示して、効率的に文書へのアクセスを可能にするする文書処理装置がある。
【特許文献１】特開平１１−２４９９３８号公報
【発明の開示】
【発明が解決しようとする課題】
【０００５】
上記したような階層表示において、電子機器の画面がワイド化され、表示領域が広くなるに伴い、複数の階層が表示可能になってきている。このような階層型メニューでは、メニュー項目が選択可能な階層とそうでない階層とが同時に表示される。メニュー項目が選択可能な階層のメニュー項目は、例えば回転操作子を操作して選択することができる。
【０００６】
しかし、別の階層のメニュー項目を選択する場合には、回転操作子とは異なるスライドキー等の操作子の操作によって、メニュー項目が選択可能な状態であることを示すフォーカスを階層移動することが必要となる。また、回転操作子が別の階層へのフォーカスの移動機能を有している場合は、メニュー項目の選択とは異なる操作をすることが必要となる。
【０００７】
このように、現階層と異なる階層のメニュー項目を選択する場合には、複数の操作子を使用したり、複数の操作を繰り返し行わなければならないため、操作に不慣れな場合には所望の項目を選択するまでに時間がかかったり、誤った項目を選択してしまうこともある。また、このような表示装置が車両に使用されている場合には、運転者にとって手間がかかるだけでなく、運転操作の妨げとなり安全走行に支障をきたすおそれがある。
【０００８】
本発明は、かかる従来技術の課題に鑑みなされたものであり、画面に表示されている各階層のメニュー項目を簡易な操作で選択することが可能なメニュー表示装置及びメニュー表示方法を提供することを目的とする。
【課題を解決するための手段】
【０００９】
上述した従来技術の課題を解決するため、本発明の一形態によれば、操作手段と、階層構造のメニュー項目を画面に表示する表示手段と、前記画面に表示されているすべての階層の各メニュー項目が前記操作手段による同一の操作で選択可能状態となる新たなメニューを構成して前記表示手段の画面に表示し、前記メニュー項目が選択可能状態であることを示すマークを前記操作手段の操作量に応じて前記メニュー項目間で移動させる制御手段とを有することを特徴とするメニュー表示装置が提供される。
【００１０】
この形態に係るメニュー表示装置において、前記制御手段は、１つの階層のメニュー項目が選択可能状態となる通常モードのメニューが表示されている状態で、前記新たなメニューである簡易選択モードのメニューにする旨の指示を受けたとき、前記通常モードのメニュー表示を前記簡易選択モードのメニュー表示に切り替えて前記画面に表示し、前記簡易選択モードのメニューが表示されている状態でいずれかのメニュー項目が選択されたとき、前記簡易選択モードを解除し、当該メニュー項目に応じた表示画面に切り替えるようにしてもよく、前記簡易選択モードのメニューは、当該簡易選択モードのメニューの元の通常モードのメニューのうち、選択されているメニュー項目がある階層を除いた階層のメニュー項目で構成されるようにしてもよい。
【００１１】
本発明のメニュー表示装置によれば、階層構造のメニュー表示において、画面に表示されているすべての階層のメニュー項目の各々が操作子による同一の操作で選択可能な状態となる新たなメニューを構成して表示をしている。この階層の異なるメニュー項目に対し、一つの操作子の同一の操作によりフォーカスを移動するようにしている。これにより、異なる階層のメニュー項目を選択する際に階層間のフォーカスの移動のための特別な操作をする必要がなく、メニュー表示画面に表示されている階層の異なるメニュー項目の選択が容易となる。このメニュー表示装置が車両に設置されれば、運転者が容易にメニュー操作することが可能になるため、走行の安全性の向上に寄与することができる。
【００１２】
また、本発明の他の形態によれば、上記の形態に係るメニュー表示装置において実施されるメニュー表示方法が提供される。その一形態に係るメニュー表示方法は、階層構造のメニューを画面に表示するメニュー表示方法であって、画面に表示されている各階層のメニュー項目を抽出するステップと、抽出されたすべての階層の各メニュー項目が操作手段による同一の操作で選択可能状態となる新たなメニューを構成するステップと、前記新たなメニューのメニュー項目を当該新たなメニューの元のメニューと同一の表示配列で表示するステップと、操作手段の操作量に応じて前記メニュー項目が選択可能状態であることを示すマークを前記メニュー項目間で移動させるステップとを有する。
【発明を実施するための最良の形態】
【００１３】
以下、本発明の実施形態について、添付の図面を参照して説明する。
【００１４】
図１は本発明の一実施形態に係るメニュー表示装置１００の構成を示すブロック図である。メニュー表示装置１００は、基本的に、操作入力部１、制御部２、表示部３、記憶部４、及び音声出力部５で構成されている。
【００１５】
操作入力部１は、例えば回転操作子で構成され、メニュー表示装置１００に対するユーザの指示等が入力される。回転操作子はダイヤル部とボタン部で構成され、ダイヤル部の回転量に応じた信号が制御部２に送信される。また、ダイヤル部は押下した状態と押下していない状態の２つの状態でそれぞれ異なる機能を設定している。本実施形態に係る機能として、回転操作子のダイヤル部はメニュー表示を通常モードのメニュー表示から後述する簡易選択モードのメニュー表示に切り替えるスイッチの働きをする。
【００１６】
表示部３は、例えば有機ＥＬや液晶パネルで構成され、メニュー項目が表示されたりメニュー項目が選択された際のメニュー項目に応じた情報が表示される。
【００１７】
記憶部４は、例えばハードディスクや半導体メモリで構成され、制御部２によって実行される情報処理プログラムを格納する他、階層構造化された複数のメニュー項目を格納している。各メニュー項目にはメニュー項目間のリンク関係を示す情報や、メニュー項目に対応する処理プログラムとのリンク関係を示す情報等が定義されている。また、音楽データや音楽データに関連するアーティスト名、ジャケット画像等の音楽情報データが格納され、メニュー項目との関連付けがなされている。
【００１８】
音声出力部５は、制御部２の制御の下、再生した楽曲等の所定の音声信号を発生し、適切なレベルに増幅された音声信号をスピーカー（不図示）等に出力する。
【００１９】
制御部２は、例えばマイクロコンピュータで構成され、予め用意されたプログラムに基づいて上記各部の処理を制御する。特に、本実施形態に係る機能として、複数階層のメニュー項目のうち１階層のメニュー項目が選択可能な通常モードのメニュー表示に対して、表示されているすべての階層のメニュー項目を同じ操作で選択可能とする簡易選択モードのメニューを構成して表示する。
【００２０】
このように構成されたメニュー表示装置１００において、制御部２は階層構造化されたメニューが表示されている状態で、異なる階層のメニュー項目を容易に選択可能にする簡易選択モードのメニューを表示する旨の指示を受けると、画面に表示されている階層構造化されたメニュー項目の表示位置関係を保ったまま、表示されているすべてのメニュー項目を、階層に関係なく同じ操作で選択可能な状態にできる新たなメニューを構成して表示する。
【００２１】
メニュー表示装置１００の制御部２は、回転操作子の回転量を検出し、回転量に応じて、メニュー項目が選択可能状態であることを示すマーク（以後、フォーカスと呼ぶ）をメニュー項目間で移動させる。このフォーカスの移動は、異なる階層に移動する場合であっても、同一階層内の移動と同じ操作で実行される。フォーカスされたメニュー項目が選択されると、そのメニュー項目に応じた処理を実行する。
【００２２】
次に、本実施形態に係るメニュー表示装置１００について、図２から図５を参照しながら詳細に説明する。なお、図２及び図３は、本実施形態に係るメニュー表示装置のメニュー画面表示の遷移の一例を示しており、図４及び図５は、メニュー表示処理の一例を示すフローチャートである。
【００２３】
図２（ａ）に示すメニュー表示装置１００は、操作子として回転操作子２２を有し、表示画面２１に、通常モードのメニュー表示をしているメニュー画面の一例を示している。図２（ａ）に表示されている通常モードのメニュー表示では、４階層（２３，２４，２５，２６）のメニュー項目が表示されている。第１階層２３には、ソース選択メニュー項目２３ａ〜２３ｃ（ＤＴＶ，ｉＰｏｄ＜登録商標＞，ＡＭ）のアイコンが表示され、第２階層２４には、第１階層２３のメニュー項目２３ｂ（ｉＰｏｄ）を選択したときのメニュー項目２４ａ〜２４ｃ（ＡＲ，ＡＬ，ＳＯ）のアイコンが表示されている。また、第３階層２５には、第２階層２４のメニュー項目２４ｂ（ＡＬ：アルバム）を選択したときのメニュー項目２５ａ〜２５ｅ（ＡＬ１：アルバム１〜ＡＬ５：アルバム５）のアイコンが表示されている。また、第４階層２６には、第３階層２５のメニュー項目２５ｃ（ＡＬ３）を選択したときの曲名を示すメニュー項目（Ｔ４からＴ１０）のアイコンが表示されている。
【００２４】
図２（ａ）の第４階層２６において、曲名を示すアイコンのうち、１つのアイコン（Ｔ７）の周囲が他のアイコンと識別可能な状態に枠（以後、フォーカス枠３０と呼ぶ）で囲まれて表示されている。このアイコンの状態をアイコンがフォーカスされていると呼び、フォーカスされたアイコンが存在する階層（図２（ａ）では第４階層２６）を現階層と呼ぶ。
【００２５】
回転操作子２２はボタン２２ａとダイヤル２２ｂで構成されており、ボタン２２ａが押下されることによってフォーカスされているメニュー項目を選択することができる。また、ダイヤル２２ｂも押下することができ、押下された状態で回転させたり、押下されていない状態で回転させたりすることができる。それぞれの操作によって異なる機能が設定されている。
【００２６】
図２（ａ）の通常モードのメニュー表示において、回転操作子２２のダイヤル２２ｂを押下しない状態で回転させることにより、現階層（第４階層２６）のアイコン間でフォーカスを移動させることができ、ボタン２２ａを押下することによってフォーカスされているメニュー項目の処理を実行する。この状態から、通常モードのままで１階層上の第３階層２５のメニュー項目を選択しようとすると、例えば不図示のスライドキー等を操作してフォーカスを階層移動させることが必要となる。
【００２７】
この通常モードのメニューが表示されている状態で、回転操作子２２のダイヤル２２ｂを押下すると、図２（ｂ）に示すような簡易選択モードのメニューが表示される。
【００２８】
図２（ｂ）の簡易選択モードのメニュー表示のメニュー項目（２７ａ〜２７ｃ，２８ａ〜２８ｃ，２９ａ〜２９ｅ）は、現階層（第４階層２６）のメニュー項目が表示されていない点を除き、表示画面２１に表示されている通常モードのメニュー項目（２３ａ〜２３ｃ，２４ａ〜２４ｃ，２５ａ〜２５ｅ）と同じである。ただし、簡易選択モードのメニュー項目は通常モードのメニュー項目とは異なり、表示されているすべてのメニュー項目が階層（２７，２８，２９）に関係なく、回転操作子２２のダイヤル２２ｂを回転させることによって、フォーカスを移動させることが可能である。すなわち、通常モードのメニュー表示において必要であった、現階層を異なる階層に移動させるための操作が不要となる。
【００２９】
通常モードのメニュー表示から簡易選択モードのメニュー表示に切り替わり、ダイヤル２２ｂを回転させた最初の段階では、現階層（第４階層２６）の一つ上の第３階層２９の所定の位置（例えば、図２（ｂ）では一番下のメニュー項目２９ｅ（ＡＬ５））のメニュー項目がフォーカスされている。回転操作子２２のダイヤル２２ｂを押下した状態で回転させることによって、このフォーカスの位置がすべての階層（２７，２８，２９）のメニュー項目間を移動する。例えば、図２（ｂ）の状態から回転操作子２２のダイヤル２２ｂを押下しながら左に回転させると、フォーカスがメニュー項目２９ｄ（ＡＬ４）に移動する。このように、回転操作子２２のダイヤル２２ｂの１段階の回転毎にフォーカスが１つ上のメニュー項目に移動する。図２（ｂ）の第３階層２９の一番上の位置のメニュー項目２９ａ（ＡＬ１）がフォーカスされたとき、さらに回転操作子２２のダイヤル２２ｂを左に回転させると、第２階層２８の一番下のメニュー項目２８ｃにフォーカスが移動する。
【００３０】
所望のメニュー項目にフォーカスが移動したときに、回転操作子２２のダイヤル２２ｂを押下している状態から元の押下していない状態に戻すと、メニュー項目に応じた処理が実行される。例えば、第２階層２８のメニュー項目２８ａ（ＡＲ：アーティスト）が選択されると、図３に示すような通常モードのメニュー表示が表示画面２１に表示される。図３に示すように、３つの階層（３１，３２，３３）のメニューが表示され、簡易選択モードのメニュー表示画面（図２（ｂ）参照）において選択した第２階層３２のメニュー項目（ＡＲ：アーティスト）がフォーカスされ、第３階層にアーティスト名（ＡＲ１〜ＡＲ５）が表示される通常モードのメニュー表示画面が表示される。
【００３１】
このように、表示画面に表示されている異なる階層のすべてのメニュー項目の各々が各階層間で回転操作子による同一の操作（回転操作）によって選択可能な状態となるメニューを構成して表示し、一つの回転操作子を使用して異なる階層間のメニュー項目にフォーカスを移動させることにより、操作子を持ち替える等の手間がかからず容易に所望のメニュー項目を選択することが可能となる。また、このようなメニュー表示装置が車両に搭載されている場合には、運転者のメニュー操作負担が軽減され、短時間でメニュー操作を完了することができるため、運転操作を妨げる長時間の動作を回避でき安全走行に寄与することが可能となる。
【００３２】
次に、本実施形態に係るメニュー表示装置１００において行うメニュー表示処理について、図４及び図５を参照しながら説明する。図４は、簡易選択モードのメニュー表示の処理の一例を示し、図５は、図４の処理フローのうちの、表示されているメニュー項目を容易に選択可能にする簡易選択可能化処理の一例を示している。
【００３３】
図４に示すメニュー表示処理において、まず、最初のステップＳ１１では、指定されたメニューを通常モードでメニュー表示する。通常モードでは、メニューの階層構造がわかるように表示されるが、表示されるメニュー項目のうち、選択可能状態のメニュー項目は一階層（現階層）内のメニュー項目であり、回転操作子の回転等によるフォーカスの移動操作では、現階層のメニュー項目間においてのみ、フォーカスを移動させることができる。
【００３４】
図６（ａ）は４階層（６１〜６４）で構成されたメニューを通常モードで表示した一例を示している。第１階層６１から第４階層６４にわたって、それぞれの階層のメニュー項目の一部が表示されている。図６（ｂ）は、図６（ａ）に表示されているメニュー項目の元になったデータ構造を示しており、このメニューデータは記憶部４に格納されている。例えば、第１階層のデータはＤ１からＤｍまで存在するが、表示画面２１にはそのうちのＤ２からＤ４が表示されている。第２階層から第４階層も同様に、表示画面２１にはそれぞれ一部の項目が表示されている。
【００３５】
また、各メニュー項目は、メニュー項目が表示画面２１に表示されているか否かを示す画像表示フラグ、メニュー項目がフォーカスされている状態か否かを示すフォーカスフラグ、メニュー項目に応じた処理プログラムを実行するか否かを示す実行フラグ、及び、メニュー項目がフォーカスされるか否かを示す選択待ちフラグを有している。例えば、メニュー項目の選択待ちフラグ、フォーカスフラグ、及び実行フラグがセットされているとき、そのメニュー項目が選択されると、メニュー項目に対応する処理プログラムが実行される。
【００３６】
次のステップＳ１２において、簡易選択モードへの切り替えの指示が有ったか否かを判定する。切り替えの指示があるまで待機し、切り替えの指示があったと判定されたときはステップＳ１３に移行する。例えば、回転操作子２２のダイヤル２２ｂの押下があったと判定したときに、簡易選択モードへの切り替えの指示があったものと判定する。
【００３７】
次のステップＳ１３において、表示画面２１に表示されているすべての階層のメニュー項目の各々が各階層間で操作子による同一の操作で選択可能状態となるようにする、簡易選択可能化処理を行う。
【００３８】
ここで、表示されているメニュー項目の簡易選択可能化処理について図５を用いて説明する。
【００３９】
図５のステップＳ２１において、現階層を除いて、表示画面２１に表示されているメニュー項目を抽出する。例えば、図２（ａ）のメニュー表示では、メニュー項目２３ａ〜２３ｃ、２４ａ〜２４ｃ、２５ａ〜２５ｅに対応するデータを記憶部４に格納されているメニューデータから抽出する。記憶部４に格納されているメニューデータの各メニュー項目の画面表示フラグを参照し、フラグがセットされていれば表示画面２１に表示されていると判定する。
【００４０】
次のステップＳ２２において、ステップＳ２１で抽出された各メニュー項目に対して、処理プログラムとの関連付けを行い、メニュー項目を実行可能な状態にする。この関連付けは、フォーカスされたメニュー項目が選択されたときに、そのメニュー項目に応じた処理を行うことができるように、各メニュー項目の実行フラグをセットすることによって行われる。
【００４１】
次のステップＳ２３において、各メニュー項目を選択待ち状態にする。選択待ち状態とは、メニュー項目のアイコンがフォーカスされ得る状態のことである。すなわち、すべての階層において通常モードにおける現階層と同じ状態にする。具体的には、メニュー項目の選択待ちフラグをセットすることによって、抽出したすべてのメニュー項目を選択待ち状態にする。この状態に設定することにより、操作子の操作によってフォーカスが表示されるすべてのメニュー項目の間を移動できるようにする。
【００４２】
次のステップＳ２４において、メニューの表示位置関係を元の通常モードのメニューの表示位置関係と変えないように、上記選択待ちフラグ及び実行フラグがセットされた各メニュー項目による簡易選択メニューを表示する。図２（ｂ）は、図２（ａ）に示す元の階層構造のメニュー表示に対する簡易選択メニュー表示の一例を示している。図２（ｂ）のメニュー表示に示すように、図２（ａ）のメニュー表示における現階層を除いて、画面に表示されている他階層のメニュー項目を、その配列順序を保ったまま表示している。この表示に際して、元の通常モードの階層メニュー画面と区別するために、各階層の背景色を同一にしてもよい。
【００４３】
図４に戻りステップＳ１４において、回転操作子の回転量に応じてフォーカスを移動する。回転操作子２２のダイヤル２２ｂを回転させることにより、フォーカスの移動が１階層分のメニュー項目を超える場合は、一つ上又は下の階層のメニュー項目にフォーカスが移動する。
【００４４】
図２（ｂ）は、簡易選択モードに切り替わり、ダイヤル２２ｂを回転させた最初の段階でのメニュー表示画面であり、フォーカスがメニュー項目２９ｅに位置している状態である。この状態から回転操作子２２のダイヤル２２ｂを押下した状態で左に回転させると、回転量に応じてフォーカスがその階層２９内の上のメニュー項目２９ｄに移動する。その階層２９内の一番上のメニュー項目２９ａにフォーカスが移動した後、さらに回転操作子２２のダイヤル２２ｂを左に回すと、一つ上の階層２８のメニュー項目２８ｃにフォーカスが移動する。同様に、この階層内の一番上のメニュー項目２８ａにフォーカスが移動した後、さらに回転操作子２２のダイヤル２２ｂを左に回すと、その一つ上の階層２７のメニュー項目２７ｃにフォーカスが移動する。
【００４５】
なお、回転操作子２２のダイヤル２２ｂを右に回すと、ダイヤル２２ｂを左に回したときとは逆方向にフォーカスがメニュー項目間を移動する。
【００４６】
また、ダイヤル２２ｂを押下して図２（ｂ）に示す簡易選択モードにメニュー表示を切り替え、タイヤル２２ｂを回転させずにダイヤル２２ｂを元の状態に戻したとき、元の通常モードのメニュー表示に戻るようにしてもよい。
【００４７】
次のステップＳ１５において、フォーカスされたメニュー項目が選択されたとき、そのメニュー項目に応じた処理を実行する。メニュー項目の選択は、例えば、回転操作子２２のダイヤル２２ｂの押下状態を元の押下していない状態に戻すことによって実行される。また、メニュー項目に応じた処理は、例えば、上位階層のメニュー項目が選択されたときは、そのメニュー項目に従って下位の階層のメニュー項目を表示した通常モードのメニューが表示される。このようにメニュー項目に応じた処理を実行して、本簡易選択モードのメニュー表示処理は終了する。
【００４８】
以上説明したように、本実施形態のメニュー表示方法では、階層構造のメニュー表示において、表示画面に表示されている各階層のメニュー項目を抽出し、それらのメニュー項目の選択待ちフラグをセットすることにより、各階層間で回転操作子による同一の操作で選択可能な状態となるように構成して、新たなメニュー表示をしている。これにより、メニュー表示画面に表示されているメニュー項目であれば、階層の異なるメニュー項目であっても容易に選択することが可能となる。このメニュー表示装置が車両に設置されれば、運転者が容易にメニュー操作することが可能になるため、走行の安全性の向上に寄与することができる。
【００４９】
なお、上記実施形態では、図２に示すように階層構造のメニュー項目をアイコンで表示する一例を示したが、メニュー表示の態様はこれに限定されるものではない。例えば、図７に示すようなツリー型のリスト表示によるメニュー項目表示にも適用可能である。
【００５０】
図７（ａ）は通常モードのリスト表示を示している。このリスト表示では、第１階層７１から第３階層７３まで表示されている。第１階層のｉＰｏｄ、第２階層のＳｏｎｇｓを選択し、第３階層７３のメニュー項目（Ｔｉｔｌｅ３）がフォーカスされ、第３階層７３のメニュー項目が選択待ち状態となっている。この状態から回転操作子２２のダイヤル２２ｂを押下すると、図７（ｂ）に示すような簡易選択モードのメニュー項目が表示される。この簡易選択モードのメニューでは元の通常モードの第１階層７１及び第２階層７２と同一のメニュー項目が第１階層７４及び第２階層７５に表示され、回転操作子２２のダイヤル２２ｂの回転量に応じてこの２つの階層のメニュー項目間をフォーカスが移動する。
【００５１】
また、本実施形態では、簡易選択モードのメニュー項目は、現階層と異なる階層のメニュー項目としたが、現階層のメニュー項目を含めるようにしてもよい。
【００５２】
また、本実施形態では、現階層が最下層のときに簡易選択モードのメニューに切り替える例を用いて説明したが、これに限らず、上位の階層が現階層のときに簡易選択モードに切り替え、下位のメニュー項目を選択するようにしてもよいことは勿論である。この場合、メニュー項目として例えば楽曲メニューを選択すると、楽曲が再生されてスピーカー（不図示）を通して出力されるとともに、メニュー表示が終了して、その楽曲に関する詳細情報（タイトルやアーティスト名等）が画面に表示される。
【００５３】
また、図２（ｂ）の簡易選択モードのメニュー表示において、上位階層に移動したとき、表示されている一番下のメニュー項目にフォーカスが移動するものとして説明したが、これに限らず、階層毎に移動した段階でのフォーカスの位置を一番上又は一番下とし、その階層において回転操作子の回転によりフォーカスが下又は上へ移動するようにしてもよい。
【００５４】
また、本実施形態では、操作子として回転操作子２２を使用した場合を例にとって説明したが、使用する操作子はこれに限らない。例えば、簡易選択モードへの切り替えボタンを用意しておき、通常の回転操作子を回転させてフォーカスをメニュー項目間で移動させ、回転操作子のボタン部でメニュー項目を選択するようにしてもよい。
【図面の簡単な説明】
【００５５】
【図１】本発明の一実施形態に係るメニュー表示装置の構成を示すブロック図である。
【図２】通常モード及び簡易選択モードのメニュー表示の一例を示す図（その１）である。
【図３】簡易選択モードのメニュー項目を選択した後のメニュー表示の一例を示す図である。
【図４】図１に係るメニュー表示装置におけるメニュー表示処理の一例を示すフローチャート（その１）である。
【図５】図１に係るメニュー表示装置におけるメニュー表示処理の一例を示すフローチャート（その２）である。
【図６】階層構造化したメニュー項目のデータ構造の一例を示す図である。
【図７】通常モード及び簡易選択モードのメニュー表示の一例を示す図（その２）である。
【符号の説明】
【００５６】
１…操作入力部（操作手段）、
２…制御部（制御手段）、
３…表示部（表示手段）、
４…記憶部（記憶手段）、
２１…表示画面、
２２…回転操作子（操作手段）、
２３，２４，２５，２６，２７，２８，２９…階層、
３０…フォーカス枠。
【図１】
2010055441.tif 000003
【図２】
2010055441.tif 000004
【図３】
2010055441.tif 000005
【図４】
2010055441.tif 000006
【図５】
2010055441.tif 000007
【図６】
2010055441.tif 000008
【図７】
2010055441.tif 000009